(57)【特許請求の範囲】
【請求項１】
スラブ上に所定間隔を隔てて配置される床パネルの壁面側を支持する構造であって、
前記壁面側に位置する床パネルの端部下面側に配置される複数の防振支持脚と、これら防振支持脚間で前記床パネルの下面側を支える少なくとも一個の緩衝装置とを備え、
前記緩衝装置は前記壁面側に固定されるとともに、前記床パネルの下面部分に沿う支持部と、この支持部と前記床パネルとの間に設けられた衝撃吸収体とを備えて構成されていることを特徴とする床パネル支持構造。
【請求項２】
前記衝撃吸収体はシリコンゲル又はスチレンゲルからなるゲル状材料により構成されていることを特徴とする請求項１記載の床パネル支持構造。
【請求項３】
前記衝撃吸収体は発泡シリコンにより構成されていることを特徴とする請求項１記載の床パネル支持構造。
【請求項４】
スラブ上に所定間隔を隔てて配置される床パネルの壁面側を支持する構造であって、
前記壁面側に位置する床パネルの端部下面側コーナー領域に配置される一対の防振支持脚と、これら防振支持脚間に位置する緩衝装置とを備え、
前記緩衝装置は、前記壁面に固定される固定部と、この固定部の上端に連なって床パネルの下面部分に沿う支持部とからなるブラケットと、前記支持部の上面側に設けられて床パネルとの間に位置するとともに、ゲル状材料又は発泡シリコンからなる衝撃吸収体とを備えて構成されていることを特徴とする床パネル支持構造。
【発明の詳細な説明】
【０００１】
【発明の属する技術分野】
本発明は床パネル支持構造に係り、特に、壁面側に位置する床パネルの振動エネルギーを効果的に吸収することのできる床パネル支持構造に関する。
【０００２】
【従来の技術】
従来より、コンクリート製のスラブ等からなる躯体の上面側に一定の空間を形成するように床パネルを配置した二重床が知られている。この二重床を形成する床パネルの端部支持は、（１）際根太を介して行なう形態、（２）防振支持脚を床パネルの端部下面側に配した、いわゆる防振際根太を介して行なう形態が存在する。
【０００３】
【発明が解決しようとする課題】
しかしながら、前記（１）の支持形態にあっては、際根太に床パネルの端部が直接支持される構造であるため、床パネルに加えられる振動エネルギーが殆ど減衰することなくスラブ若しくは壁面等の躯体に伝播してしまい、前記端部以外の下面側に防振支持脚を採用しても十分な振動遮断性能を得ることができず、結果として大きな床衝撃音を発生してしまうという不都合がある。なお、際根太による床パネルの端部支持形態の中には、際根太の上面と床パネルとの間に緩衝材を配置する構成（例えば、特開２００１−２４１１７９号公報参照）も存在する。しかしながら、この構成は床パネルを広い面で支えるものであるため、緩衝材を設けた実益を効果的に発揮できず、床衝撃音の低減が十分に得られないという不都合がある。
【０００４】
また、前記（２）の支持形態にあっては、荷重が加えられることによって防振支持脚間の床パネル端部領域に撓みが発生するため、歩行感が悪くなったり、床パネルと巾木との間に隙間が表れて視覚的な問題を生ずることとなる。これに対処するためには、防振支持脚の数を増加させる必要があるが、この場合には、防振支持脚の転倒に必要以上の配慮が要求されるため、床パネルを敷設する施工性が悪くなるという別異の不都合を招来する。また、この支持形態では、床パネルの壁面側に配置される防振支持脚に、相対的にばね定数の大きな防振ゴムを使用することもあるが、これによれば、防振系の共振周波数が上昇して床衝撃音の低減が困難になるという不都合もある。
【０００５】
【発明の目的】
本発明は、このような不都合に着目して案出されたものであり、その目的は、防振支持脚の使用数を増加させることなく床パネルの端部に発生する撓みを防止できるとともに、床パネルに加えられる振動エネルギーを吸収して床衝撃音レベルを低減することのできる床パネルの支持構造を提供することにある。
【０００６】
また、本発明の他の目的は、防振支持脚を転倒させるおそれを低減した状態で床パネルの敷設作業を容易に行なうことのできる床パネル支持構造を提供することにある。
【０００７】
【課題を解決するための手段】
前記目的を達成するため、本発明は、スラブ上に所定間隔を隔てて配置される床パネルの壁面側を支持する構造であって、
前記壁面側に位置する床パネルの端部下面側に配置される複数の防振支持脚と、これら防振支持脚間で前記床パネルの下面側を支える少なくとも一個の緩衝装置とを備え、
前記緩衝装置は前記壁面側に固定されるとともに、前記床パネルの下面に沿う支持部と、この支持部と前記床パネルとの間に設けられた衝撃吸収体とを備える、という構成を採っている。このような構成とすれば、壁面に固定された緩衝装置が壁面側の防振支持脚間に配置されるため、防振支持脚間に生ずる振動が緩衝装置によって吸収されるようになり、効果的に振動エネルギーを吸収して床衝撃音レベルを低減することが可能となる。また、防振支持脚間における床パネルの撓みも防止することができ、床パネルと巾木との間に撓みに伴う隙間を生じさせてしまうおそれも回避可能となる。これを更に詳述すると、床パネルの端部下面側に防振支持脚をそれぞれ配置した状態における床パネルの振動モードにおいては、これら防振支持脚位置に対応する床パネル部分が「節」となる。この一方、防振支持脚間の床パネル端部領域が「腹」に近くなり、この床パネル端部領域の端部中央部で振幅が最大となる。従って、防振支持脚間に緩衝装置を配置することで、前記「腹」の振幅を抑制することができるようになり、これにより、振動エネルギーを効果的に減衰させることが可能となる。
なお、床パネルを敷設するときに、固定された緩衝装置を利用することで、防振支持脚の転倒を効果的に防止することもできる。
【０００８】
また、本発明は、スラブ上に所定間隔を隔てて配置される床パネルの壁面側を支持する構造であって、
前記壁面側に位置する床パネルの端部下面側コーナー領域に配置される一対の防振支持脚と、これら防振支持脚間に位置する緩衝装置とを備え、
前記緩衝装置は、前記壁面に固定される固定部と、この固定部の上端に連なって床パネルの下面部分に沿う支持部とからなるブラケットと、前記支持部の上面側に設けられて床パネルとの間に位置するとともに、ゲル状材料又は発泡シリコンからなる衝撃吸収体とを備える、という構成を採り、これにより、前述の目的をより良く達成しようとしたものである。
【０００９】
【発明の実施の形態】
本発明において、前記衝撃吸収体はシリコンゲル又はスチレンゲルからなるゲル状材料、或いは、発泡シリコンにより構成することが好ましい。このような材料を用いることにより、ゴムに比較した場合の減衰率を相対的に大きくすることができる。すなわち、振動伝達率が相対的に小さいゲル状材料、発泡シリコンにより、更に振動吸収効率を改善することが可能となる。
【００１０】
【実施例】
以下、本発明の実施例を図面を参照しながら説明する。
【００１１】
図１には、本実施例に係るパネル支持構造の概略平面図が示され、図２には、図１のＡ−Ａ線矢視拡大断面図が示されている。これらの図において、コンクリート製のスラブＳの上面側で空間Ｃを形成する所定の高さ位置に床パネルＰを配置して二重床が形成されている。この床パネルＰは、前記スラブＳ上に設置されて床パネルＰの下面側に配置された複数の防振支持脚１０を介して支持されている。また、壁面Ｗに一端部が沿う床パネルＰは、前記防振支持脚１０間に配置された緩衝装置３０を併用して支持されている、
【００１２】
前記パネルＰは、特に限定されるものではないが、本実施例では、下地パネルＰ１と、その上面に敷設されたフローリング等からなる仕上げパネルＰ２との複層構造体によって構成されている。下地パネルＰ１の側端は、図３に示されるように、壁面Ｗに対して隙間Ｓ１を形成するように配置され、また、仕上げパネルＰ２の側端は、隙間Ｓ１よりも小さな隙間Ｓ２を壁面Ｗとの間に形成し、且つ、上部に位置する巾木４０の下端面領域内に位置するように配置されている。
【００１３】
前記防振支持脚１０は、床パネルＰの下面側において、各パネルＰを跨ぐように端部コーナー領域に配置されている。この防振支持脚１０は、図３及び図４に示されるように、床パネルＰの下面側に位置する平面視略方形の受け板２０と、この受け板２０の中央部下面側に位置する支持脚１１と、この支持脚１１を支える防振弾性体１２と、当該防振弾性体１２の外周側に装着された錘部材１３とを構えて構成されている。
【００１４】
支持脚１１は、上下方向に軸線が向けられたナット部材１１Ａと、このナット部材１１Ａの上端側からねじ込まれて上下方向に進退可能なボルト１１Ｂとからなり、このボルト１１Ｂの上端は、図示しないナットを介して前記受け板２０に固定されている。
【００１５】
前記防振弾性体１２はゴム製であり、当該防振弾性体１２は、略円盤状をなす内周弾性部２１と、この内周弾性部２１と一体に成形されるとともに、当該内周弾性部２１と略同心円上に設けられた略円筒状の外周弾性部２２とにより構成されている。内周弾性部２１は、前記支持脚１１のナット部材１１Ａを上部中央で支持する一方、下面がスラブＳとの間に空間Ｃ１を形成する高さに設けられ、上方からの衝撃に対して剪断力を受ける領域が形成されるようになっている。この内周弾性部２１は、ナット部材１１Ａ回りにおいて、上方に向かうに従って次第に縮径する傾斜面となる二段階のテーパ面部を備え、下面外周側にも同様に縮径する傾斜面となるテーパ面部を備えた形状に設けられ、これにより、ナット部材１１Ａの支持安定性が確保されると同時に、上方から加えられる衝撃によって剪断方向に変形する時の一定の抵抗が付与されるようになっている。
【００１６】
前記外周弾性部２２は、その硬度が内周弾性部２１の硬度よりも相対的に大きな材質により構成されている。この外周弾性部２２は、その下面側が内周弾性部２１の下面よりも低位置に設けられてスラブＳへの設置部とされている。この外周弾性部２２の外周面には、上下方向中間部に段部２５が形成されており、この段部２５により、外周弾性部２２の上部外径が下部外径よりも小径とされている。また、外周弾性部２２の下面は周方向に沿って延びるとともに略同心円上に位置する複数の溝２６が形成され、これらの溝２６間に位置する設置部となる複数のひれ状部２８がスラブＳの上面に接して略水平方向に滑り難くされている。ここで、外周弾性部２２の設置部側には、前記空間Ｃ１を内外に連通させる通略２９が形成され、この通路２９により、内周弾性部２１が剪断方向に変形したときの空間Ｃ１内の空気逃げが行われる一方、元の位置に戻るときに外気を導入して空間Ｃ内の負圧化を防止できるようになっている。
【００１７】
前記外周弾性部２２の外周に設けられた錘部材１３は、金属もしくは樹脂により構成されている。この錘部材１３は略円筒状をなし、その下端が前記段部２５に着座する状態に保たれ、これにより、防振支持脚１０の全体に対して上方から衝撃が加えられた時でも防振弾性体１２と錘部材１３との一体性が確実に保たれる。
【００１８】
前記緩衝装置３０は、図１に示されるように、それぞれの床パネルＰの下面側において、壁面Ｗ側に配置された一対の防振支持脚１０，１０間に設けられている。本実施例では、一枚の床パネルＰに対し、緩衝装置３０が防振支持脚１０，１０間に各二個ずつ配置されているが、その使用数は、床パネルＰの平面サイズに応じて増加、減少させることができる。この緩衝装置３０は、図３及び図４に示されるように、側端形状が略Ｌ字状となるブラケット３１と、このブラケット３１に設けられた衝撃吸収体３２とにより構成されている。ブラケット３１は、壁面Ｗにねじ３３を介して固定される略方形をなす板状の固定部３４と、この固定部３４の上端に連なるとともに当該固定部３４の面と略直交する方向に向けられて床パネルＰの下面に沿う略方形の板状をなす支持部３５とからなり、この支持部３５の上面に前記衝撃吸収体３２が配置されて当該衝撃吸収体３２が床パネルＰとの間に挟まれるようになっている。ここで、衝撃吸収体３２は、シリコンゲル、スチレンゲル等のゲル状材料からなるシート、或いは、発泡シリコンからなるシートにより構成されている。なお、前記固定部３４と壁面Ｗとの間にも衝撃吸収体３２又は一定の緩衝効果を発揮し得るその他の材料からなるものを介在させることができる。
【００１９】
次に、本実施例に係る二重床の施工要領について、図５をも参照しながら説明する。
【００２０】
一辺の長さが約９００ｍｍとなる方形の下地パネルＰ１の各コーナー領域を支持するように、相互に間隔を隔てて防振支持脚１０をスラブＳ上に配置する。この際、壁面Ｗに沿って配置される防振支持脚１０，１０間に二つの緩衝装置３０が固定される。この緩衝装置３０における取り付け高さ位置は、衝撃吸収体３２の上面が防振支持脚１０の受け板２０上面と同一平面上に位置するか、受け板２０の上面より僅かに低位置となるように設定される。
【００２１】
次いで、下地パネルＰ１を各防振支持脚１０の受け板２０に載せるように配置する。この配置作業は、壁面Ｗ側に位置する下地パネルＰ１の端部が低くなるように当該下地パネルＰ１が傾斜姿勢で受け板２０上に載せられ、下地パネルＰ１を水平姿勢にすることで各コーナー対応領域に位置する受け板２０上に下地パネルＰ１を載せることができる。この際、受け板２０の上面と下地パネルＰ１との合わせ面は接着剤を介して相互に接着される。そして、仕上げパネルＰ２を下地パネルＰ１上に敷設して巾木４０を壁面Ｗに固定することで、床パネルＰの施工を完了することができる。
【００２２】
図５及び図６は、衝撃吸収体３２としてシリコンゲルを採用した場合の、床パネル施工後の実験結果を、前述した従来の固定際根太を採用した場合と、防振際根太を採用した場合と比較して示したものである。また、図７は、衝撃吸収体３２のシリコンゲルをゴムに置き換えた場合の重量床衝撃音実験結果を示したものである。これらの図表から明らかなように、総じて、本発明による床パネル支持構造が従来例よりも優れ、とりわけ、低周波数域において優れていることが理解されるであろう。これは、図８に示されるように、５００Ｈｚ付近までの周波数域において、シリコンゲル、発泡シリコンがゴムに比べて振動伝達率が小さいことが要因と考えられる。
【００２３】
なお、前記実施例において、緩衝装置３０は、固定部３４に支持部３５を連接して側端形状が略Ｌ字状となるブラケット３１を採用したが、本発明はこれに限定されるものではない。例えば、固定部３４と支持部３５との間に跨る適宜な補強材を設けてもよい。これにより、ブラケット３１の剛性を高めて優れた耐荷重性能を付与することができる。
【００２４】
更に、前記実施例では、防振支持脚１０に、内周弾性部２１と外周弾性部２２とからなる防振弾性体１２を適用した場合を図示、説明したが、本発明はこれに限定されるものではなく。例えば、単なる円盤状をなす一般的なゴムを用いることもできる。但し、前記実施例における構成を備えた防振弾性体１２を採用した場合には、一般的なゴムよりも優れた振動低減効果を得ることができる。
【００２５】
【発明の効果】
以上説明したように、本発明によれば、壁面側に位置する防振支持脚間に緩衝装置を設けるとともに、この緩衝装置が、床パネルとの間に位置する衝撃吸収体を含んで構成されているから、防振支持脚間に生ずる振動が緩衝装置によって吸収されるようになり、効果的に振動エネルギーを吸収して床衝撃音レベルを低減することが可能となる。しかも、防振支持脚間における床パネルの撓みも防止することができ、床パネルと巾木との間に撓みに伴う隙間を生じさせてしまうおそれもない。また、床パネルを敷設する作業に際し、緩衝装置を利用することによって防振支持脚の転倒も防止することができ、床パネル施工作業を容易に行なうことが可能となる。
【００２６】
また、衝撃吸収体をシリコンゲル又はスチレンゲルからなるゲル状材料、或いは、発泡シリコンにより構成した場合には、ゴムに比較した場合の減衰率を相対的に大きくして更に振動吸収効率を改善することができる。
【図面の簡単な説明】
【図１】  本実施例に係る二重床の平面図。
【図２】  図１のＡ−Ａ線矢視拡大断面図。
【図３】  前記実施例の要部拡大断面図。
【図４】  前記実施例の要部概略斜視図。
【図５】  前記実施例による軽量床衝撃音実験結果を示す線図。
【図６】  前記実施例による重量床衝撃音実験結果を示す線図。
【図７】  衝撃吸収体にシリコンゲルとゴムとを用いた場合の重量床衝撃音実験結果を示す線図。
【図８】  シリコンゲル、発泡シリコン、ゴムを衝撃吸収体とした場合の振動伝達率の比較を示す線図。
【符号の説明】
１０…防振支持脚、３０…緩衝装置、３１…ブラケット、３２…衝撃吸収体、３４…固定部、３５…支持部、Ｐ…床パネル、Ｓ…スラブ、Ｗ…壁面
【図１】
0003829735.tif 000002
【図２】
0003829735.tif 000003
【図３】
0003829735.tif 000004
【図４】
0003829735.tif 000005
【図５】
0003829735.tif 000006
【図６】
0003829735.tif 000007
【図７】
0003829735.tif 000008
【図８】
0003829735.tif 000009